(57)【要約】【課題】プッシュ式の点消火操作ボタンの操作パネル面からの飛び出しをなくして使用上の安全性を高めるとともに、デザインの斬新性をも高めたテーブルコンロを提供する。【解決手段】本体Ａの前面の操作パネル面１にプッシュ式の点消火操作ボタン２を備えたテーブルコンロにおいて、点消火操作ボタン２の操作面２ｂが消火時は操作パネル面１と略同一面上に位置し、点火、燃焼時は操作パネル面１より没入した奥に位置させて点消火操作ボタン２が操作パネル面１より飛び出すことがないように設け、該操作面２ｂに指先が入る凹入部２ｄを設けてプッシュ操作が適切、かつ、安定して行いうるようにする。【選択図】　　　図１
2004125336.tif 000002
【特許請求の範囲】
【請求項１】
本体前面の操作パネル面にプッシュ式の点消火操作ボタンを備えたコンロにおいて、
上記点消火操作ボタンをその操作面が非使用時は操作パネル面と略同一面上に位置し、点火、燃焼時は操作パネル面よりも奥に位置するように備えたことを特徴とするコンロ。
【請求項２】
上記本体前面操作パネル面を、その上部を奥方向に向かって上り傾斜させると共に、その下部を奥方向に向かって下り傾斜させ、上記点消火操作ボタンを上記上り傾斜面と下り傾斜面にまたがって設けたことを特徴とする請求項１に記載のコンロ。
【発明の詳細な説明】
【０００１】
【発明の属する技術分野】
この発明は、本体前面の操作パネル面にプッシュ式の点消火操作ボタンを備えたコンロに関する。
【０００２】
【従来の技術】
従来より一般に使用されているこの種のテーブルコンロは、たとえば、図８乃至図１０に例示されているように、本体前面の操作パネル面１に備えられたプッシュ式の点消火操作ボタン２が消火時（図８及び図１０参照）、点火時（図９参照）又は燃焼時（図示せず）のいずれの場合も操作パネル面１より前方へ、たとえば、消火時はｄ（図８参照）、点火時はｅ（図９参照）だけ飛び出している。図示しないが燃焼時も消火時ｄと点火時ｅの略中間位置まで飛び出している。
【０００３】
【発明が解決しようとする課題】
上記従来のテーブルコンロなどのコンロでは、点消火操作ボタン２が操作パネル面１より常に飛び出しているので、実際の使用にあたり点消火操作ボタン２に衣服などを引掛けたり、点消火操作ボタン２に煮汁などが付着したり、また腰など体の一部が点消火操作ボタン２に触れて不必要な点火又は消火操作をしてしまうといった不具合が生ずることが多いため安全性の点で問題があり、さらに、操作パネル面１に点消火操作ボタン２が飛び出しているので、デザイン上もすっきりせず、斬新性にも欠けるといった問題点があった。
この発明のコンロは上記課題を解決するために、点消火操作ボタンの操作パネル面からの飛び出しをなくして使用上の安全性と併せてデザインの斬新性をも高めたコンロの提供を目的としている。
【０００４】
【課題を解決するための手段】
上記課題を解決するこの発明の請求項１記載のコンロは、本体前面の操作パネル面にプッシュ式の点消火操作ボタンを備えたコンロにおいて、上記点消火操作ボタンをその操作面が非使用時は操作パネル面と略同一面上に位置し、点火、燃焼時は操作パネル面よりも奥に位置するように備えたことを要旨とする。
【０００５】
また、この発明の請求項２記載のコンロは、上記請求項１記載のコンロにおいて、上記本体前面操作パネル面を、その上部を奥方向に向かって上り傾斜させると共に、その下部を奥方向に向かって下り傾斜させ、上記点消火操作ボタンを上記上り傾斜面と下り傾斜面にまたがって設けたことを要旨とする。
【０００６】
上記構成を有するこの発明の請求項１記載のコンロによれば、点消火操作ボタンの操作面が消火時、点火時又は燃焼時のいずれの場合も本体前面の操作パネル面より飛び出すことがないように備えられているので、実際の使用時に点消火操作ボタンに衣服などを引掛けたり、誤操作することなどがない。この結果、常にコンロの安全使用ができる。また、操作パネル面に点消火操作ボタンが飛び出していないことからデザイン上もすっきりする。
【０００７】
上記構成を有するこの発明の請求項２記載のコンロによれば、前面操作パネル面の中段部が前方へ突出するように形成され、その操作パネル面に合わせて点消火操作ボタンの操作面も前方へ突出するため、安全性を維持しつつボタンの押し操作が非常に容易となる。
【０００８】
【発明の実施の形態】
以上説明したこの発明の構成、作用を一層明らかにするために、以下この発明のコンロの好適な実施形態の一例について図面を参照して説明する。
【０００９】
この発明の一実施形態としてテーブルコンロについて図１乃至図７を用いて説明する。図６及び図７はグリル付きテーブルコンロの外観図を示している。
このテーブルコンロは、たとえば、図６及び図７に例示されているように、トッププレート２１に２組のコンロバーナ２２、２３が設けられ、それらの周囲に設けられた五徳２４、２５上に図示しない調理鍋等を載せ、テーブルコンロの本体Ａ前面の操作パネル面１に設けられる、たとえば、プッシュ式の点消火操作ボタン２、３をプッシュ操作することによりそれぞれのコンロバーナ２２、２３が点火、消火され、煮炊き調理などに供するものである。上記コンロバーナ２２、２３間の器体の中心部には、魚などの被調理物を焼くためのグリル２６が設けられ、その点消火操作ボタン４をプッシュ操作して点火、消火され、焼き料理などの加熱調理に供するものである。
操作パネル面１は、上部が奥方向に向かって上り傾斜した傾斜面１ａ、下部が奥方向に向かって下だり傾斜した傾斜面１ｂとされ、両傾斜面１ａと１ｂを結ぶ中間部は丸みをおびた彎曲面１ｃに形成される。そして、この操作パネル面１には上下の傾斜面１ａ、１ｂにまたがって点消火操作ボタン２、３用の複数個の略四角形の開口１１が並設され、その開口１１にそれぞれ点消火操作ボタン２、３及び４が備えられる。
【００１０】
上記テーブルコンロの本体Ａの前面の操作パネル面１に設けられるコンロバーナ用のプッシュ式点消火操作ボタン２、３と、グリル用のプッシュ式点消火操作ボタン４は同一構造となっているため、２組のコンロバーナ２２、２３のうちの一方のコンロバーナ用のプッシュ式点消火操作ボタン２について図１乃至図５を用いてその実施形態の一例を説明する。
【００１１】
図１は消火時の状態を示した断面図であり、図２はその正面図、図３は点火時の状態を示した断面図である。そして、図４及び図５は点消火操作ボタンだけの断面図及び正面図を示している。図において、１はテーブルコンロ本体Ａの前面の操作パネル面であり、２はプッシュ式の点消火操作ボタン、５は上記点消火操作ボタンを取付ける取付枠体であって、この取付枠体５はテーブルコンロ本体Ａに取付け固定され、その前面部５ａがテーブルコンロ本体Ａの前面の操作パネル面１と同一面上に位置して取付けられている。
前記点消火操作ボタン２は、本体前面操作パネル面１の形状と整合する形で前方に彎曲突出している。この点消火操作ボタン２は略四角形でその前面の操作面２ｂの形状を前記操作パネル面１の傾斜面１ａ、１ｂ、中央の彎曲面１ｃと略同一面となるようにする。そして、その前面操作面２ｂの上部に表示窓２ｃ、その下部寄りに指掛け用の凹入部２ｄが設けられ、かつ後端上部に枢軸２ａが設けられている。
前記取付枠体５は、前記操作パネル面１に設けた操作ボタン用の開口１１に合致しうる略四角形の枠体で、その前面部５ａに後述する点消火操作ボタン２を臨ませる略四角形の開口５ｂを有し後部上端には点消火操作ボタン２を吊設枢支する枢支用軸受け５ｃを備え、該枢支軸受け５ｃの下部に点消火操作ボタン２に枢設される可動表示体６のガイドピン６ａをガイドするガイド溝５ｄが設けられている。５ｅは点消火操作ボタン２の消火位置でのストッパーである。この取付枠体５の前面形状は前記操作パネル面１の開口１１に備えるために操作パネル面１の上部傾斜面１ａと下部傾斜面１ｂ、それに中間の彎曲面１ｃに合致しうるように前面上部が奥方向に向かって上り傾斜し、下部が奥方向に向かって下だり傾斜して形成され、中央部が彎曲して形成されている。そして、該取付枠体５は前記操作パネル面１に設けた各操作ボタン用の開口１１に連通して設置され、その取付枠体５に前記点消火操作ボタン２が備えられる。
【００１２】
上記プッシュ式の点消火操作ボタン２は、その後端上部に設けられた枢軸２ａを上記取付枠体５の枢支用軸受け５ｃに軸支して該枢軸部を支点として前後方向へ揺動可能に取付けられ、その前面操作面２ｂが消火時は図１に例示されているように、操作パネル面１と略同一面上に位置し、点火、燃焼時は図３に例示されているように操作パネル面１よりも奥に位置するように備えられている。そして、前面の操作面２ｂの上部に表示窓２ｃが設けられ、該表示窓２ｃの下部にはプッシュ操作時の指掛けとなる指先が入る程度の凹入部２ｄが設けられている。この凹入部２ｄはプッシュ操作が適切、かつ、確実に行いうる下方寄りの所定位置に一体形成されている。２ｅはハートカム（図示せず）を介して予め決められた一定の進退運動をする作動軸７を当接関連させる当接部で、点消火操作ボタン２の下方後部に一体形成されており、作動軸７と点消火操作ボタン２は常に連動するようになっている。２ｆは点消火操作ボタン２のストップ片で、上記取付枠体５のストッパー５ｅに当って一定の消火位置を保つようになっている。また、８ｂは表示窓２ｃを塞いだ透明のフイルム状シール材である。
【００１３】
８は燃焼状態であることを表示する固定表示体で、先端に表示部８ａを有し点消火操作ボタン２の表示窓２ｃに相対して点消火操作ボタン２に取付け固定され、先端表示部８ａと表示窓２ｃとの間に後述する可動表示体６の先端表示部６ａが挿入、脱出できる隙間９を存している。上記可動表示体６は支軸１０で点消火操作ボタン２に枢支され、先端に表示部６ｂを有し、基端にはガイドピン６ａを備えていてこのガイドピン６ａを取付枠体５のガイド溝５ｄに滑動が自由に行えるよう嵌めつけ、点消火操作ボタン２と取付枠体５とを可動表示体６を介して連結している。なお、固定表示体８の表示部８ａは燃焼状態を表示する赤色、可動表示体６の表示部６ａは消火状態を表示する白色、灰色などの彩色とするのが好ましい。
【００１４】
上記構成において、プッシュ操作による点消火操作ボタン２の消火時、点火時、燃焼時の状態を簡単に説明すると、消火時は点消火操作ボタン２の操作面２ｂが本体前面の操作パネル面１の上部の傾斜面１ａ、下部の傾斜面１ｂ、中央の湾鏡面１ｃと略同一面上に位置している（図１参照）。そこで、コンロバーナ２２への着火に際し点消火操作ボタン２をその操作面２ｂの凹入部２ｄに指先を入れて図３に例示されているように、消火位置ａから点火位置ｂまで押動すると、点消火操作ボタン２は枢軸２ａを支点として図示反時計方向に回動し作動軸７も連動して図示右方へ一定のストロークだけ移動し、たとえば、ガス供給路に設けられたメイン弁と電磁安全弁とを開くと同時に点火プラグからスパークを飛ばしてバーナに点火する点火操作が行われ、その後、点消火操作ボタン２の押圧を解除すると、点消火操作ボタン２は作動軸７とともに燃焼位置ｃまで戻って係合され、電磁安全弁を閉弁可能状態にセットして点火操作を完了する。このとき、点消火操作ボタン２の操作面２ｂは点火位置ｂ及び燃焼位置ｃにおいて本体前面の操作パネル面１よりも奥に位置している。
コンロバーナ２２を消火するときは、燃焼位置ｃにある点消火操作ボタン２を押動すると、燃焼位置ｃでの係合が解かれ点消火操作ボタン２は作動軸７とともに燃焼位置ｃから消火位置ａへ戻ってメインガス通路を閉じてバーナを消火し消火操作を完了するものである。このとき、点消火操作ボタン２の操作面２ｂは点消火操作ボタン２のストップ片２ｆが取付枠体５のストップ部５ｅに当ることと相まって先にも述べたように本体前面の操作パネル面１と略同一面上に位置して保持される。なお、上記作動軸７の進退ストローク及び係合、係合解除は、ガスメイン弁と電磁安全弁との開閉タイミング位置を設定するハートカムで制御される。
【００１５】
上記消火時、点火時又は燃焼時において可動表示体６は、点消火操作ボタン２が消火位置ａから点火位置ｂまで押動されると、その支軸１０の移動に連れてガイドピン６ａが取付枠体５のガイド溝５ｄに沿って上方へ移動することで図示反時計方向に回動されその先端表示部６ａが表示窓２ｃと固定表示体８の先端表示部８ａとの隙間９から下方へ脱出して表示窓２ｃに固定表示体８の先端表示部８ａを表示する。そして、点消火操作ボタン２の押圧を解いて点消火操作ボタン２が燃焼位置ｃに戻っても表示窓２ｃに固定表示体８の先端表示部８ａが表示され、燃焼状態であることを、たとえば、赤色で表示する。
コロンバーナを消火して点消火操作ボタン２が消火位置ａに戻ると、点消火操作ボタン２の移動に連れて可動表示体６は図示時計方向に回動しその先端表示部６ｂが隙間９内に下方から挿入され、表示窓２ｃに消火状態であることを、たとえば、黄色で表示する。
【００１６】
以上この発明の実施形態の一例について説明したが、この発明はこうした実施形態に何等限定されるものではなく、この発明の要旨を逸脱しない範囲において、種々なる態様で実施し得ることは勿論である。
【００１７】
【発明の効果】
以上説明したように、この発明の請求項１記載のコンロは、点消火操作ボタンの操作面が本体前面の操作パネル面より飛び出すことがないので、点消火操作ボタンに衣服などが引掛ったり、点消火操作ボタンに煮汁などが付着したり、また、点消火操作ボタンを不意に押して不必要な点火又は消火操作をしてしまうといった不具合が防止できる。さらに、操作パネル面に点消火操作ボタンが飛び出していないことから、デザイン的にも従来にない斬新なコンロが提供できる。
【００１８】
また、この発明の請求項２記載のコンロは、前面操作パネル面にあわせて点消火ボタンの操作面も前方へ突出するため、安全性を維持しつつボタンの押し操作が非常に容易になる。
【図面の簡単な説明】
【図１】この発明のテーブルコンロの要部の断面図で、点消火操作ボタンが消火時の状態にある場合の一例を示したものである。
【図２】その正面図である。
【図３】点消火操作ボタンが点火時の状態にある場合の要部の断面図である。
【図４】点消火操作ボタンだけの断面図である。
【図５】その正面図である。
【図６】この発明のテーブルコンロの一例を示した全体正面図である。
【図７】その斜視図である。
【図８】従来例の消火時の状態を示す要部の一部切欠側面図である。
【図９】同点火時の状態を示す同側面図である。
【図１０】同全体斜視図である。
【符号の説明】
Ａ　テーブルコンロ本体
１　操作パネル面
２　点消火操作ボタン
２ｂ　操作面
２ｄ　指掛け用凹入部
５　取付枠体
【図１】
2004125336.tif 000003
【図２】
2004125336.tif 000004
【図３】
2004125336.tif 000005
【図４】
2004125336.tif 000006
【図５】
2004125336.tif 000007
【図６】
2004125336.tif 000008
【図７】
2004125336.tif 000009
【図８】
2004125336.tif 000010
【図９】
2004125336.tif 000011
【図１０】
2004125336.tif 000012